(57)【要約】【課題】複数人が様々な方位から見る場合であっても、直感的に何時を表示しているかが分かる。【解決手段】表示部５０は、円形の表示フィールド５１に、矩形をした時表示部５２と、円環状の分表示部５３と、銭型をした秒表示部５４とが、同心円状に配置されている。時表示部５２は、画像Ｈ１〜Ｈ１２によって、１〜１２時を表示している。画像Ｈ１〜Ｈ６は、単位表示要素Ｕをサイコロ表示することにより、１〜６時が表示され、画像Ｈ７，Ｈ８は、単位表示要素Ｕが５つで桁が上がった大きな円形の第１の桁上げ表示Ｖと、単位表示要素Ｕとにより、７時、８時が表示され、画像９は、単位表示要素Ｕのみをマトリクス表示することにより、９時が表示され、画像Ｈ１０〜Ｈ１２は、第１の桁上げ表示Ｖが２つになった第２の桁上げ表示Ｗと、単位表示要素Ｕにより、１０〜１２時が表示されている。【選択図】  図２
2020052003.tif 000002
【特許請求の範囲】
【請求項１】
表示フィールドに時、分又は秒をそれぞれ表す単位表示要素の少なくとも１種類を表示する表示部と、
少なくとも現在時刻を含む計時情報を出力する計時部と、
形状、大きさ又は色を含む要素からなる前記単位表示要素を表示する表示画像を少なくとも記憶する記憶部と、
前記計時部の出力に基づいて、前記記憶部に記憶された単位表示要素を組み合わせて、前記表示フィールドを全方位から見て直感的に認識できる形態で表示する時計表示処理を行う時計処理部と、
を備えた時計表示装置。
【請求項２】
請求項１に記載の時計表示装置において、
前記表示部は、文字、図形、記号若しくは色彩又は立体的形状並びにこれらの結合を単位表示要素とすること、
を特徴とする時計表示装置。
【請求項３】
請求項１に記載の時計表示装置において、
前記表示部は、前記表示フィールドを、同心円状の領域に区画して、秒表示領域、分表示領域又は時表示領域に割り当てること、
を特徴とする時計表示装置。
【請求項４】
請求項１に記載の時計表示装置において、
前記表示部は、秒表示画面、分表示画面又は時表示画面を切り替えて表示すること、
を特徴とする時計表示装置。
【請求項５】
請求項１に記載の時計表示装置において、
前記処理部は、前記単位表示要素をサイコロの目表示して、６を超えた場合には、桁上げ表示すること、
を特徴とする時計表示装置。
【請求項６】
請求項５に記載の時計表示装置において、
前記時計処理部は、桁上げ表示する場合には、前記単位表示要素の形状、大きさ又は色を含む要素を変化させること、
を特徴とする時計表示装置。
【請求項７】
請求項７に記載の時計表示装置において、
前記処理部は、桁上げ表示する場合には、前記単位表示要素を前記表示フィールドに整列させること、
を特徴とする時計表示装置。
【請求項８】
請求項１から請求項７までのいずれか１項に記載の時計表示装置としてコンピュータを機能させるための時計表示プログラム。
【発明の詳細な説明】
【技術分野】
【０００１】
本発明は、時計表示装置及び時計表示プログラムに関するものである。
【背景技術】
【０００２】
従来、アナログ時計の文字盤表記は、１〜１２の数字（もしくは5分刻みに印）を、長針短針で指し示すタイプが一般的に知られている。
しかし、腕時計ではなく、例えば、懐中時計やベルトが無いタイプの時計に関して、通常の向きではなく、様々な方向から見た際に瞬間的に何時を指示しているのか分からない場合が多い。
【０００３】
この問題を解決するために、「文字部の表示位置を、時計用文字盤の周方向に角度を変えて移動させる表示機能が設けられているので、文字部の表示位置を所望の角度変えて移動させることにより、例えば腕の位置（角度）を変えることなく、利用形態によって固定された姿勢のままで視認し易くなるように、文字部の表示位置を角度調整する」ことが提案されている（例えば、特許文献１）。
【先行技術文献】
【特許文献】
【０００４】
【特許文献１】特開２００８−１２２１２４号公報
【発明の概要】
【発明が解決しようとする課題】
【０００５】
しかし、カウンター越しに接客する場合など、複数人（販売員と顧客）が同じ時計表示を見た場合に、すべての人に見やすい表示ではなかった。
【０００６】
本発明の目的は、複数人が様々な方位から見る場合であっても、直感的に何時を表示しているかが分かる時計表示装置及び時計表示プログラムを提供することにある。
【課題を解決するための手段】
【０００７】
前記課題を解決するために、本発明は、表示フィールドに時、分又は秒をそれぞれ表す単位表示要素の少なくとも１種類を表示する表示部と、少なくとも現在時刻を含む計時情報を出力する計時部と、形状、大きさ又は色を含む要素からなる前記単位表示要素を表示する表示画像を少なくとも記憶する記憶部と、前記計時部の出力に基づいて、前記記憶部に記憶された単位表示要素を組み合わせて、前記表示フィールドを全方位から見て直感的に認識できる形態で表示する時計表示処理を行う時計処理部と、を備えた時計表示装置及びこの時計表示装置としてコンピュータを機能させるための時計表示プログラムである。
【発明の効果】
【０００８】
本発明によれば、複数人が様々な方位から見る場合であっても、直感的に何時を指示しているのか分かる時計表示装置及び時計表示プログラムを提供することができる。
【図面の簡単な説明】
【０００９】
【図１】本発明による時計表示装置の実施形態を示すブロック図である。
【図２】本実施形態に係る時計表示装置の表示部を説明する模式図である。
【図３】本実施形態に係る時計表示装置の表示部の色表示を説明する図である。
【図４】本実施形態に係る時計表示装置の動作を示すフローチャートである。
【図５】本発明による時計表示装置の表示フィールドの変形形態を示した模式図である。
【図６】本発明による時計表示装置の桁上げ表示の変形形態を示した模式図である。
【発明を実施するための形態】
【００１０】
以下、図面等を参照しながら、本発明による時計表示装置及び時計表示プログラムの実施形態をさらに詳しく説明する。
図１は、本発明による時計表示装置の実施形態を示すブロック図である。
【００１１】
本実施形態の時計表示装置１は、図１に示すように、処理部１０と、計時部２０と、操作部３０と、記憶部４０と、表示部５０と、画像メモリ６０と、電源部７０等を備えている。
【００１２】
処理部１０は、ＣＰＵ（中央処理装置）や、ＲＡＭ、ＲＯＭ等のメモリを備えており、記憶部４０内のプログラム記憶部４１に記憶された各種のプログラムに応じて、この時計表示装置１の全体動作を制御するためのものであり、二次電池などの電源部７０からの電力供給によって動作する。
計時部２０は、計時情報（年、月、日、時、分、秒）を逐次計時する回路であり、処理部１０に接続されている。
【００１３】
操作部３０は、電源スイッチの他に、時計表示画像や、背景画像の選択、時・分・秒表示画面の切り替え等を行うものであり、機械的スイッチでもよいし、表示部４０がタッチパネルの場合には、ソフト的スイッチでもよい。
【００１４】
記憶部４０は、例えば、ＲＯＭ、フラッシュメモリなどで構成されており、この時計表示装置１を作動させる各種プロクラムを記憶するプログラム記憶部４１と、時（Ｔ）、分（Ｍ）、秒（Ｓ）等を表す時計画像を記憶する時計画像記憶部４２と、各時計画像に対応する背景画像を記憶する背景画像記憶部４３などを備えている。
【００１５】
表示部５０は、図２で詳しく説明する表示フィールド５１の表示をするためのものであり、液晶（ＬＣＤ）や有機ＥＬ等を用いた表示装置が好適に用いられる。
表示部５０は、文字、図形、記号若しくは色彩又は立体的形状並びにこれらの結合を単位表示要素とすることができる。この実施形態では、図２（ｂ）の分表示のような「図形」、図２（ｃ）の時表示のような「丸印の記号」、図３の
秒表示のような「色」を採用している。
画像メモリ６０は、操作部３０で設定した時計画像や、背景画像を記憶しておくためのものである。
【００１６】
図２は、本実施形態に係る時計表示装置の表示部を説明する模式図である。
図３は、本実施形態に係る時計表示装置の表示部の色表示を説明する図である。
【００１７】
この実施形態では、どの位置から見ても、瞬間的に時間が分かるよう、短針に相当する時表示部５２と、長針に相当する分表示部５３と、秒針に相当する秒表示部５４の表示を次のような形式にする。
時表示部５２は、四角や丸を使用したイラストで表示する。
分表示部５３は、経過した時間を、所定間隔に分割されたセルごとに色や光の変化によって表示する。
秒表示部５４は、経過した時間を、フィールドごとの色変化によって表示する。
【００１８】
表示部５０は、図２（ａ）に示すように、円形の表示フィールド５１に、中心部にある矩形をした時表示部５２と、周縁部にある円環状の分表示部５３と、中間部にある古銭型をした秒表示部５４とが、同心円状に配置されている。同心円状にすることで、どの方位からでも見やすい。
【００１９】
時表示部５２は、図２（ｃ）に示すように、画像Ｈ１〜Ｈ１２によって、１〜１２時を表示している。
画像Ｈ１〜Ｈ６は、単位表示要素Ｕをサイコロ表示することにより、１〜６時が表示されている。
画像Ｈ７，Ｈ８は、単位表示要素Ｕが５つで桁が上がった大きな円形の第１の桁上げ表示Ｖと、単位表示要素Ｕとにより、７時、８時が表示されている。
画像Ｈ９は、単位表示要素Ｕのみをマトリクス表示することにより、９時が表示されている。
画像Ｈ１０〜Ｈ１２は、第１の桁上げ表示Ｖが２つになった第２の桁上げ表示Ｗと、単位表示要素Ｕにより、１０〜１２時が表示されている。
【００２０】
分表示部５３は、円環を４５度ごとに、８個に分割した画像Ｍ１〜Ｍ８を順次点灯するにより表示する。図２（ｂ）では、４５分を表している。
【００２１】
秒表示部５４は、１０秒ごとに色変化で表示をするものであり。図３に示すように、０〜９秒が赤色画像Ｓ１，１０〜１９秒が橙色画像Ｓ２，２０〜２９秒が黄色画像Ｓ３，３０〜３９秒が緑色画像Ｓ４，４０〜４９秒が青色画像Ｓ５，５０〜５９秒が紫色画像Ｓ６により、表示を切り替える。
この秒表示部５４は、秒表示を虹色に対応させているので、直感的に覚えやすいし、認識しやすいという利点がある。
なお、秒表示がわずらわしい場合には、後述する設定（図４のＳ１０１）により、表示の停止をすることもできる。
【００２２】
図４は、本実施形態に係る時計表示装置の動作を示すフローチャートである。
以下の処理は、特に記載がない限り、処理部１０内のＣＰＵにより処理されるものとする。
Ｓ１０１では、操作部３０により、時・分・秒表示をするか、時・分表示をするかの設定、単位表示要素Ｕの色、形等の設定、時・分・秒表示の領域の入れ替えの設定、アラーム音の設定、年・日・曜日表示をするか否かの設定等の初期設定を行う。
【００２３】
Ｓ１０２では、計時部２０から現在時刻等の計時情報を取得する。
Ｓ１０３では、時・分・秒表示の時計画像を、時計画像記憶部４２から呼び出す。
Ｓ１０４では、時・分・秒表示に対応する背景画像を、背景画像記憶部４３から呼び出す。
【００２４】
Ｓ１０５では、計時情報に基づいて、秒表示か否かを判定し、肯定ならＳ１０６へ進み、否定ならＳ１０８に進む。
Ｓ１０５では、秒表示処理を行う。
Ｓ１０６では、対応する背景表示処理を行い、Ｓ１０２に戻る。
【００２５】
Ｓ１０８では、計時情報に基づいて、分表示か否かを判定し、肯定ならＳ１０９へ進み、否定ならＳ１１１に進む。
Ｓ１０９では、分表示処理を行う。
Ｓ１１０では、対応する背景表示処理を行い、Ｓ１０２に戻る。
【００２６】
Ｓ１１１では、計時情報に基づいて、時表示か否かを判定し、肯定ならＳ１１２へ進み、否定ならＳ１０２に戻る。
Ｓ１１２では、時表示処理を行う。
Ｓ１１３では、対応する背景表示処理を行い、Ｓ１０２に戻る。
【００２７】
以上説明したように、本実施形態によれば、以下にような種々の効果が期待できる。
（１）単位表示要素を組み合わせて、表示フィールドを全方位から見て直感的に認識できる形態で表示するので、カウンタ越しに接客しているような場合でも、販売員と顧客が同じ時計表示をみて、時間を共有することができる。つまり、方向性を問わないため、どの角度からでも時刻を認識できる。
（２）どの角度からでも時刻を認識できるので、時計設置場所のバリエーションが増える。例えば、部屋の天井、中心に配置しても、その部屋にいる全員からよく見える。
【００２８】
（３）数字の表記がイラストになるため、子供、高齢者、外国人など、誰が見ても分かるデザインである。
（４）逆に、初めて見る人（顧客）には理解できないようなイラストの時計表示にして、オブジェのような形態にしておけば、販売員が顧客に気づかれないようにして、時間を盗み見することができる。
【００２９】
（５）表示盤を光により表示することにより、照明としても使用できる可能性がある。
（６）表示部を高輝度の液晶表示装置にすれば、プロジェクターのように、表示を壁や天井の映しだすことができる。
（７）本実施形態によれば、鏡に映しても、何時か識別しやすい。つまり、アナログ時計もデジタル時計も、鏡に映った状態で何時か読み取るのは難しいが、本実施形態であれば、振り返らなくても、時刻を知ることができる。
【００３０】
以上、本発明の実施形態について説明したが、本発明は、前述した実施形態に限定されるものではなく、例えば、後述する変形形態等のように種々の変形や変更が可能であって、それらも本発明の技術的範囲内である。
また、実施形態に記載した効果は、本発明から生じる最も好適な効果を列挙したに過ぎず、本発明による効果は、実施形態に記載したものに限定されない。
なお、前述した実施形態及び後述する変形形態は、適宜組み合わせて用いることもできるが、詳細な説明は省略する。
【００３１】
以下に説明する変形形態では、前述した実地形態と同様な機能を示す部分には、同一の符号を付すか、末尾が共通する符号を付して、重複する説明を適宜省略する。
（１）図５は、本発明による時計表示装置の表示フィールドの変形形態を示した模式図である。
この変形形態の時計表示装置は、図５（ａ）に示すように、丸型の時表示部５２、四角型の分表示部５３、三角型の秒表示部５４が表示フィールド５１内に浮遊している。分表示部５３の大きな四角は、桁上げ表示であり、１０分を表している。
表示フィールド５１は、タッチパネルになっていて、タッチするごとに、図５（ｂ）に示すように、時表示、分表示、秒表示に切り替わる。
このようにすれば、表示フィールドの限らえたスペースで、時、分、秒の表示をすることができるので、時、分、秒を認識しやすくなった。
【００３２】
（２）図６は、本発明による時計表示装置の桁上げ表示の変形形態を示した模式図である。
前述の実施形態では、図６（ａ）に示すように、単位表示要素Ｕの桁上げ表示をする場合、単位表示要素Ｕと相似形の桁上げ表示Ｖとしたが、図６（ｂ）に示すように、形も大きさも異なる桁上げ表示Ｖ１をしてもよい。
また、図６（ｃ）に示すように、同じ大きさの単位表示要素Ｕを１列に整列させた桁上げ表示Ｖ２として、余りの単位表示要素Ｕは、浮遊させておいてもよい。この場合には、図６（ｄ）に示すように、桁上げ表示Ｖ２が複数列並んでいても、場所を取らないし、桁上げ表示Ｖ２が積みあがっているので、直感的に時間の認識ができるという利点がある。
【００３３】
（３）単位表示要素として、文字を使用する場合には、できるだけ象形文字要素の強い「Ａ，Ｂ，Ｃ」、「Ｔ，Ｍ，Ｓ」等のアルファベット等が適している。図形としては、会社のマスコット、ネズミ、ねこ、くま等のキャラクタを使用してもよい。
また、表示部は、平面的に見える例で説明したが、ホログラムや、いわゆる「だまし絵」の技法等を用いて立体的に見えるようにしてもよい。
（４）本実施形態では、図２に示すような専用の表示部５０のある時計表示装置として説明したが、スマートフォン、タブレット、ＰＣ等にインストールして、時計表示装置としてコンピュータを機能させるための時計表示プログラムも本発明に含まれる。
【符号の説明】
【００３４】
１：時計表示装置、１０：処理部、２０：計時部、３０：操作部、４０：記憶部、４１：プログラム記憶部、４２：時計画像記憶部、４３：背景画像記憶部、５０：表示部、５１：表示フィールド、５２：時表示部、５３：分表示部、５４：秒表示部、６０：画像メモリ、７０：電源部。
【図１】
2020052003.tif 000003
【図２】
2020052003.tif 000004
【図３】
2020052003.tif 000005
【図４】
2020052003.tif 000006
【図５】
2020052003.tif 000007
【図６】
2020052003.tif 000008